(57)【要約】【課題】部品実装の制約をなくすと共に組付けが容易となり生産性の向上を図れる電子部品収納体を提供することにある。【解決手段】電子部品収納体１０は、内部に基板１４を介して電子部品である電源コネクタ１５が装備されると共に開口部１１Ｄを設けた筐体１１と、この筐体１１に取付けられ開口部１１Ｄを塞ぐ弾性部材(プラスチック)からなるカバー部材１２と、を備えて構成され、電源コネクタ１５の先端部（ケーブル接続部）１５Ａが、開口部１１Ｄの先端部側に配置され、カバー部材１２に、電源コネクタ１５のケーブル接続部１５Ｂに対応した状態の貫通穴１２Ｃを形成すると共に、電源コネクタ１５の後端面を係止する補強部１２Ｄをカバー部材１２の裏面から電源コネクタ１５側に突出させて一体形成した。【選択図】図２
2014139976.tif 000002
【特許請求の範囲】
【請求項１】
内部に基板を介して電子部品が装備されると共に開口部を設けた筐体と、
この筐体に取付けられ前記開口部を塞ぐ弾性部材からなるカバー部材と、を備え、
前記電子部品の先端部が前記開口部の先端部側に配置され、
前記カバー部材に、前記電子部品の先端部に対応した状態の貫通穴を形成すると共に前記電子部品の後端面を係止する補強部を前記カバー部材の裏面から前記電子部品側に突出させて一体形成したことを特徴とする電子部品収納体。
【請求項２】
請求項１に記載の電子部品収納体において、
前記筐体を一つの側面部側および上面部側が開口部となった箱状に形成し、
前記カバー部材を前記一つの側面部側および上面部側を塞ぐ断面Ｌ字状に形成したことを特徴とする電子部品収納体。
【請求項３】
請求項２に記載の電子部品収納体において、
前記カバー部材をプラスチックで構成すると共に、前記Ｌ字の一辺に前記貫通穴を形成しかつ他辺に前記補強部を形成し、
前記補強部を、一対の直線部とこれらの直線部同士を繋ぐ曲線状の撓み部からなる断面形状に形成し、
前記一方の直線部を前記カバー部材の裏面に当該カバー部材と直交して設けると共に他方の直線部を前記電子部品側に向けて一方の直線部の延長上に設け、前記撓み部を前記一方の直線部と他方の直線部と直交する方向のいずれか一方に向けて設け、
前記カバー部材を前記筐体に取付けた際に、前記補強部の他方の直線部が前記電子部品の後端面と係合するように前記補強部の位置を設定したことを特徴とする電子部品収納体。
【請求項４】
請求項３に記載の電子部品収納体において、
前記補強部を前記電子部品の幅方向の両端部の２か所に設けたことを特徴とする電子部品収納体。
【請求項５】
請求項１に記載の電子部品収納体において、
前記筐体を一つの側面部および上面部が開口部となった箱状に形成し、
前記カバー部材をプラスチックで構成すると共に前記一つの側面部および上面部を塞ぐ断面Ｌ字状に形成し、
前記カバー部材の前記Ｌ字の一辺に前記貫通穴を形成すると共に他辺に前記補強部を形成し、
前記補強部を、前記電子部品の幅寸法より狭い間隔で配設された２枚の板状部で構成すると共に、これら２枚の板状部が前記カバー部材を前記筐体に取付けた際に前記電子部品の後端面に係止するように設けたことを特徴とする電子部品収納体。
【請求項６】
請求項１に記載の電子部品収納体において、
前記筐体を一つの側面部側および上面部側が開口部となった箱状に形成し、
前記カバー部材を、前記一つの側面部側および上面部側を塞ぐ断面Ｌ字状に形成すると共にプラスチックで構成しかつ前記Ｌ字の一辺に前記貫通穴を形成し他辺に前記補強部を形成し、
前記補強部を、一対の直線部とこれらの直線部同士を繋ぐ曲線状の撓み部とからなる断面形状とすると共に、直線部および撓み部のいずれか一方に形成され前記カバー部材に支持される支持部を設けた形状とし、
前記一対の直線部を前記電子部品の後端面と平行になるように設けると共に、前記撓み部を前記一対の直線部と直交する方向のいずれか一方に向けて設け、
前記カバー部材を前記筐体に取付ける際に、前記補強部を前記電子部品の幅方向の両側面部と前記筐体の側面部との間にそれぞれ配置し、前記補強部の他方の直線部が前記電子部品の後端面と係合するように前記補強部を設けたことを特徴とする電子部品収納体。
【発明の詳細な説明】
【技術分野】
【０００１】
本願発明は電子部品収納体に係り、さらに詳しくは、内部に収納されたコネクタ等の電子部品にケーブル等の相手方部品を接続する際、相手方部品の差込みの圧力に対して電子部品が後退しないように電子部品が補強された電子部品収納体に関する。
【背景技術】
【０００２】
従来、電源コネクタ等の電子部品では、例えば、ケーブル等の相手方部品を差込んで接続する際に、電源コネクタ等の電子部品に差込み時の物理的付加、つまり圧力が掛かる。その結果、電子部品の性能に微妙な狂いが生じたり、場合によっては、損壊することもある。
そのため、電源コネクタ等の電子部品に掛かる圧力を抑える工夫が多くなされている。
【０００３】
例えば、第１の従来例として、図３０に示すような電子部品収納体１００が知られている。この電子部品収納体１００では、筐体１０１とカバー部材１０２とを備えた箱状の電子部品収納体１００の内部に電源コネクタ１０５が装備されている。そして、この電源コネクタ１０５は、筐体１０１に固定された基板１０４に取り付けられている。
電源コネクタ１０５の先端部、つまりケーブル接続部１０５Ｂは、カバー部材１０２に形成された貫通穴１０２Ｃに挿通されている。このような電源コネクタ１０５の後端面は、基板１０４の上面に固着された補強部材１０３と当接した構造となっており、この補強部材１０３により、ケーブル等の差込時の圧力に対抗できるようになっている。
【０００４】
第２の従来例として、図３１に示すような電子部品収納体１１０が知られている。
この電子部品収納体１１０では、基板１１４上に前記電源コネクタ１０５が装備されており、また、その電源コネクタ１０５の背後に、縦長状の板部材で構成された補強部材１１３が立設されている。そして、電源コネクタ１０５の後端面と補強部材１１３の先端とが当接するように補強部材１１３の位置が設定されている。
【０００５】
このような電子部品収納体１１０を組立てるには、まず、電源コネクタ１０５が装備され、補強部材１１３が固着された基板１１４を筐体１１１に取付けた後、図３１に示すように、電源コネクタ１０５のケーブル接続部１０５Ｂと、それに対応するカバー部材１１２の貫通穴１１２Ｃとが係合するようにカバー部材１１２をスライドさせる。
その後、カバー部材１１２を筐体１１１に取付け、固定する。その結果、電子部品収納体１１０の内部において、電源コネクタ１０５が補強部材１１３により補強されているので、ケーブル等の差込時の圧力に対抗できるようになっている。
【０００６】
また、第３の従来例として、図３２，３３に示すような電子部品収納体１２０が知られている。
この電子部品収納体１２０では、筐体１２１の内部で、かつ奥側の側面部に幅方向の一端を当接させた状態で、板状の補強部材１２３を筐体１２１の底面部に立設しておき、その補強部材１２３に、基板１２４に形成された貫通溝１２４Ａを通して基板１２４を所定位置に固定する構造となっている。この例では、基板１２４の貫通溝１２４Ａとは反対側に前記電源コネクタ１０５が装備され、この電源コネクタ１０５の後端面と上記板状の補強部材１２３の先端とが当接している。
【０００７】
このような電子部品収納体１２０を組立てるには、まず、筐体１２１に、電源コネクタ１０５が装備された基板１２４を取付けた後、図３１に示すように、電源コネクタ１０５のケーブル接続部１０５Ｂと、それに対応するカバー部材１２２の貫通穴１２２Ｃとが係合するようにカバー部材１２２をスライドさせて、筐体１２１とカバー部材１２２とを取付け、固定する。
その結果、電子部品収納体１２０の内部において、電源コネクタ１０５が補強部材１２３により補強されているので、ケーブル等の差込時の圧力により後退しないようになっている。
【０００８】
さらに、第４の従来例として、図３４，３５に示すような電子部品収納体１３０が知られている。
この電子部品収納体１３０では、筐体１３１の奥側の側面部内部に、縦長の板状部材からなる補強部材１３３が、筐体１３１の底面部から所定寸法高い位置に、かつ横方向に向けて上記側面部と直交させた状態で固着されている。
その補強部材１３３の下端側に基板１３４が配置されるようになっており、この基板１３４には前記電源コネクタ１０５が装備されている。そして、基板１３４が筐体１３１の所定位置に固定されたとき、上記補強部材１３３の先端部が電源コネクタ１０５の後端面に当接するように構成されている。
【０００９】
このような電子部品収納体１３０を組立てるには、まず、筐体１３１に、電源コネクタ１０５が装備された基板１３４を取付けた後、図３５に示すように、電源コネクタ１０５のケーブル接続部１０５Ｂと、それに対応するカバー部材１３２の貫通穴１３２Ｃ１とが係合するようにカバー部材１３２をスライドさせて、筐体１３１とカバー部材１３２とを取付け、固定する。
その結果、電子部品収納体１３０の内部において、電源コネクタ１０５が補強部材１３３により補強されているので、ケーブル等の差込時の圧力により後退しないようになっている。
【００１０】
また、上記第１〜第４の実施例とは別に、コネクタ等の電子部品の取付け構造として、例えば、特許文献１〜３が挙げられる。
すなわち、特許文献１では、フラット配線用コネクタおよび嵌合部材が開示されている。このフラット配線材用コネクタおよび嵌合部材では、フラット配線用コネクタ配線材用コネクタにおいて、フラット配線材の接続、あるいは取外し作業時の作業性を向上させるように構成されている。
【００１１】
特許文献２では、基板用コネクタの取付構造が開示されている。この基板用コネクタの取付構造では、基板用コネクタに相手方コネクタを嵌合させる際の基板用コネクタの撓みを防止して、回転基板とのハンダ接続の信頼性を高めるためのものであり、回路基板に支持壁と固定部とが設けられた構成となっている。
【００１２】
また、特許文献３では、スライド部材組立体，スライド部材組立体の使用方法，及びスライド部材組立体を備えた筐体装置が開示されている。
このスライド部材組立体，スライド部材組立体の使用方法，及びスライド部材組立体を備えた筐体装置では、仮固定部材を用いることなく輸送中にスライド部材が動くことを防止することができるように構成されている。
【先行技術文献】
【特許文献】
【００１３】
【特許文献１】特許３９８０３５９号公報
【特許文献２】特開２００２−３０５０４８号公報
【特許文献３】特開２０１０−２５２１７９号公報
【発明の開示】
【発明が解決しようとする課題】
【００１４】
しかし、前記各従来例では、それぞれ、次のような課題が生じている。
すなわち、第１の従来例では、基板１０４に設けられた補強部材１０３が、筐体１０１およびカバー部材１０２とは別部材であるため、その補強部材１０３を製作するための手間が掛かり、また、組付け性が悪いために組付け作業の負担が多くなり、結果的に生産性が悪いという課題が生じていた。
【００１５】
また、第２の従来例でも、上記と同様に、補強部材１１３が、筐体１１１およびカバー部材１１２と別部材であるため、上記第１の従来例と同様に、生産性が悪いという課題の他、補強部材１１３が基板１１４上に設けられているので、その補強部材１１３が邪魔となり、その分だけ部品実装やパターン配置に大きな制約があるという課題があった。
【００１６】
さらに、第３の従来例では、補強部材１２３に、基板１２４に形成された貫通溝１２４Ａを通して基板１２４を設けてあるので、上記第１，２の従来例と同様に、生産性が悪いという課題と、貫通溝１２４Ａの分だけ、部品実装やパターン配置に大きな制約があるという課題があった。
さらにまた、第４の従来例では、補強部材１３３が筐体１３１の内部に配置されているので、その補強部材１３３が邪魔となり、部品実装の制約となっている。また、組付けに際して、基板１３４を大きくスライドしなければならない構造であったため、組付性の悪化（基板実装部品を組付け時に破壊してしまうなど）を招いてしまう、という課題が生じていた。
【００１７】
また、上記各特許文献１〜３では、構造が複雑であるため、製作に多くの手間が掛かると共に組付け性が悪いために組付け作業の負担が多くなり、結果的に、生産性が悪いという課題が生じている。
〔発明の目的〕
本願発明の目的は、部品実装の制約をなくすと共に組付けが容易となり生産性の向上を図れる電子部品収納体を提供することにある。
【課題を解決するための手段】
【００１８】
前記目的を達成するために、本願発明の電子部品収納体は、内部に基板を介して電子部品が装備されると共に開口部を設けた筐体と、この筐体に取付けられ前記開口部を塞ぐ弾性部材からなるカバー部材と、を備え、
前記電子部品の先端部が前記開口部の先端部側に配置され、
前記カバー部材に、前記電子部品の先端部に対応した状態の貫通穴を形成すると共に前記電子部品の後端面を係止する補強部を前記カバー部材の裏面から前記電子部品側に突出させて一体形成したことを特徴とする。
【発明の効果】
【００１９】
本願発明の電子部品収納体によれば、電子部品の後端面を係止する補強部がカバー部材と一体形成されているので、補強部が基板に干渉することがなく、その結果、基板の部品実装やパターン配置の制約を解除することができると共に、外装部品の内装制約を削減することができる。
また、電子部品の後端面を係止する補強部がカバー部材と一体形成されているので、カバー部材を筐体に取付けるだけで補強部も同時に取付けることができる。その結果、組み付け性の向上を図ることができ、生産性の向上を図ることができるようになる。
さらに、電子部品の後端面を係止する補強部がカバー部材と一体形成されているので、カバー部材と別部材の補強部材を準備する必要がなくなり、その結果、製作の手間やコスト削減を図ることができる。
【図面の簡単な説明】
【００２０】
【図１】本願発明に係る電子部品収納体の第１実施形態を示す全体外形斜視図である。
【図２】図１におけるII−II線に沿った縦断面図である。
【図３】前記第１実施形態の電子部品収納体を構成する筐体とカバー部材とを示す断面の分解図である。
【図４】図３の状態からカバー部材を筐体に取付ける状態を示す縦断面図である。
【図５】図１におけるV−V線に沿った縦断面図である。
【図６】本願発明に係る電子部品収納体の第２実施形態の筐体とカバー部材とを示す分解斜視図である。
【図７】図６の状態からカバー部材をスライドさせて筐体に取付ける状態を示す斜視図である。
【図８】図７におけるVIII−VIII線に沿った縦断面図である。
【図９】図７の状態からカバー部材を筐体に取付けた状態を示す全体斜視図である。
【図１０】図９におけるX−X線に沿った縦断面図である。
【図１１】図９におけるXI−XI線に沿った縦断面図である。
【図１２】本願発明に係る電子部品収納体の第３実施形態の筐体とカバー部材とを示す分解斜視図である。
【図１３】図１２の状態からカバー部材をスライドさせて筐体に取付けた状態を示す全体斜視図である。
【図１４】図１３におけるXIV−XIV線に沿った縦断面図である。
【図１５】本願発明に係る電子部品収納体の第４実施形態の筐体とカバー部材とを示す分解斜視図である。
【図１６】図１５の状態からカバー部材をスライドさせて筐体に取付けた状態を示す全体斜視図である。
【図１７】図１６におけるXVII−XVII線に沿った縦断面図である。
【図１８】本願発明に係る電子部品収納体の第５実施形態の筐体とカバー部材とを示す分解斜視図である。
【図１９】図１８の状態からカバー部材をスライドさせて筐体に取付けた状態を示す全体斜視図である。
【図２０】図１９におけるXX−XX線に沿った縦断面図である。
【図２１】本願発明に係る電子部品収納体の第６実施形態の筐体とカバー部材とを示す分解斜視図である。
【図２２】図２１の状態からカバー部材をスライドさせて筐体に取付けた状態を示す全体斜視図である。
【図２３】第６実施形態のカバー部材を筐体に取付ける際の補強部の撓み部の状態を示す全体平面図である。
【図２４】図２３の状態からカバー部材をスライドさせ筐体に取付けたときの補強部の状態を示す全体平面図である。
【図２５】第６実施形態のカバー部材に一体的に設けられた補強部の詳細を示す斜視図である。
【図２６】本願発明に係る電子部品収納体の第７実施形態の筐体とカバー部材とを示す分解斜視図である。
【図２７】図２６の状態からカバー部材をスライドさせて筐体に取付けた状態を示す全体斜視図である。
【図２８】図２６におけるＹ−Ｙ線に沿った縦断面図である。
【図２９】本願発明の変形形態を示す全体縦断面図である。
【図３０】第１の従来例の電子部品収納体を示す全体縦断面図である。
【図３１】第２の従来例の電子部品収納体の筐体と基板およびコネクタを示す分解図である。
【図３２】第３の従来例の電子部品収納体の筐体と基板およびコネクタを示す分解図である。
【図３３】図３２の基板とコネクタを装備した筐体にカバー部材を取付ける状態を示す分解図である。
【図３４】第４の従来例の電子部品収納体の筐体と基板およびコネクタを示す分解図である。
【図３５】図３４の基板とコネクタを装備した筐体にカバー部材を取付ける状態を示す
【発明を実施するための形態】
【００２１】
以下に、図１〜５を参照して、本願発明に係る電子部品収納体の第１実施形態を詳細に説明する。
【００２２】
図1は本第１実施形態の電子部品収納体１０を示す全体外形斜視図であり、図２は図１におけるII−II線に沿った縦断面図であり、図３は図２の分解縦断面図であり、図４は図２の状態からカバー部材を筐体に取付ける状態を示す作用図であり、図５は図２におけるV−V線に沿った縦断面図である。
【００２３】
本第１実施形態の電子部品収納体１０は、図１〜５に示すように、略直方体の外形形状に形成されており、内部に電子部品である電源コネクタ１５が装備されると共に開口部１１Ｄを有する筐体１１と、この筐体１１に取付けられ上記開口部１１Ｄを塞ぐ弾性部材(プラスチック)からなるカバー部材１２と、を備え、電源コネクタ１５の先端部、つまりケーブル接続部１５Ｂが開口部１１Ｄの先端部側に配置され、カバー部材１２に、上記ケーブル接続部１５Ｂに対応した貫通穴１２Ｃを形成すると共に、電源コネクタ１５の後端面を係止する補強部１２Ｄをカバー部材１２の裏面から電源コネクタ１５側に突出させて一体形成した構成となっている。
なお、上記電源コネクタ１５は、所定の装置に電源を供給するために使用されるものである。
【００２４】
筐体１１は、図１〜４に示すように、対向する２辺の側面部１１Ａ，１１Ａと、これらの側面部１１Ａ，１１Ａの一端部同士を連結する他の側面部（奥側の側面部）１１Ｂと、これらの側面部１１Ａ，１１Ａ，１１Ｂの下端同士を連結する底面部１１Ｃとを備えて構成されている。そして、これらの側面部１１Ａ，１１Ａ，１１Ｂおよび底面部１１Ｃで囲まれた空間が開放空間となっており、側面部１１Ｂと底面部１１Ｃとのそれぞれの反対側が前記開口部１１Ｄとなっている。
以上のような筐体１１は、例えば、ステンレス製のプレートやプラスチック製のプレートで形成されている。
【００２５】
筐体１１の内部には、底面部１１Ｃの上面から所定寸法高い位置に配置されて基板１４が設けられている。この基板１４は、対向する側面部１１Ａ，１１Ａ間の寸法より幅狭に形成されており、筐体１１の一方の側面部１１Ａと、この側面部１１Ａと直交する他の側面部１１Ｂ間に架けわたされ、公知の手段により固定されている。なお、基板１４の幅寸法を、対向する側面部１１Ａ，１１Ａ間に架けわたせるような幅寸法に形成してもよい。
【００２６】
基板１４の上面かつ幅方向略中央部には前記電源コネクタ１５が装備されており、この電源コネクタ１５の前記ケーブル接続部１５Ｂは、電源コネクタ１５の本体部１５Ａから突出している。そして、ケーブル接続部１５Ｂが前記貫通穴１２Ｃ内に挿入され、ケーブル接続部１５Ｂの先端がカバー部材１２の前面部１２Ｂの表面と同一面となっている。
【００２７】
前記カバー部材１２は、前述のように弾性部材であるプラスチック製のプレートで形成されており、上面部１２Ａと、この上面部１２Ａと直交する前記前面部１２Ｂからなる断面Ｌ字形状とされている。カバー部材１２は、上記筐体１１の前記開口部１１Ｄを塞ぐように筐体１１の上端に載置され、かつ、例えば、接着や図示しないビス止め等により固定されるようになっている。
【００２８】
カバー部材１２の上面部１２Ａの裏面には、断面略Ｕ字形状の補強部１２Ｄがカバー部材１２と一体形成されている。この補強部１２Ｄは、図３等に示すように、上面部１２Ａの裏面と直交しかつ裏面から筐体１１側に延びた一端部１２Ｅと、この一端部１２Ｅの延長線上にその一端部１２Ｅから間隔をおいた位置に配置される他端部１２Ｆと、これらの一端部１２Ｅおよび他端部１２Ｆ同士を連結する撓み部１２Ｇとで形成されている。
【００２９】
撓み部１２Ｇは、一端部１２Ｅおよび他端部１２Ｆ同士を連結すると共に断面略Ｕ字形状に形成されており、カバー部材１２の上面部１２Ａと略平行に、かつカバー部材１２の前面部１２Ｂ側に突出している。
ここで、カバー部材１２において補強部１２Ｄの上記一端部１２Ｅおよび他端部１２Ｆの取付け位置は、図２，４に示すように、カバー部材１２を筐体１１に被せて固定したとき、補強部１２Ｄの他端部１２Ｆの裏面が前記電源コネクタ１５の後端面と当接できるような位置に設定されている。
【００３０】
カバー部材１２の前面部１２Ｂには、前記電源コネクタ１５のケーブル接続部１５Ｂに対応する貫通穴１２Ｃが形成されており、この貫通穴１２Ｃには、ケーブル接続部１５Ｂが挿通可能となっている。
【００３１】
次に、図３〜５に基づいて、カバー部材１２を筐体１１に取付ける手順を説明する。
まず、図３に示すように、カバー部材１２の前面部１２Ｂの貫通穴１２Ｃが、筐体１１に装備された電源コネクタ１５のケーブル接続部１５Ｂに接触しないように、カバー部材１２を筐体１１の上方から降ろす。
【００３２】
カバー部材１２の前面部１２Ｂの貫通穴１２Ｃの位置と、電源コネクタ１５のケーブル接続部１５Ｂの高さ位置とが一致する位置までカバー部材１２を降ろすと、図４に示すように、カバー部材１２の補強部１２Ｄの他端部１２Ｆの先端が電源コネクタ１５の上端面に当接すると共に、その上端面に押されてカバー部材１２の撓み部１２が撓む。
【００３３】
次いで、この状態から、図４に矢印（水平方向）で示すように、カバー部材１２を筐体１１の奥側の側面部１１に向けてスライドさせる。すると、前面部１２Ｂの貫通穴１２Ｃに電源コネクタ１５のケーブル接続部１５Ｂの先端部が挿入すると共に、補強部１２Ｄの他端部１２Ｆと電源コネクタ１５の上端面との当接が解除される結果、撓み部１２Ｇが初期の形状に復帰し、それに連れて他端部１２Ｆも初期の形状に復帰し、図２，４に示すように、補強部１２Ｄの他端部１２Ｆの裏面が電源コネクタ１５の後端面と当接し、これにより、電源コネクタ１５が補強部１２Ｄに係止される。
【００３４】
以上のような構成の第１実施形態の電子部品収納体１０によれば、次のような効果が得られる。
（１）電源コネクタ１５の後端面を係止する補強部１２Ｄがカバー部材１２と一体形成されているので、補強部１２が基板１４に干渉することがなく、その結果、基板１４の部品実装やパターン配置の制約を解除することができると共に、外装部品の内装制約を削減することができる。
【００３５】
（２）電源コネクタ１５の後端面を係止する補強部１２Ｄがカバー部材１２と一体形成されているので、カバー部材１２を筐体１１に取付けるだけで補強部１２Ｄも同時に取付けることができる。その結果、組み付け性の向上を図ることができ、生産性の向上を図ることができるようになる。
【００３６】
（３）電源コネクタ１５の後端面を係止する補強部１２Ｄがカバー部材１２と一体形成されているので、カバー部材１２と別部材の補強部材を準備する必要がなくなり、製作の手間やコスト削減を図ることができる。
【００３７】
（４）カバー部材１２および補強部１２Ｄがプラスチック製とされており、補強部１２Ｄの撓み部１２Ｇが断面Ｕ字形状に形成されているので、補強部１２Ｄの他端部１２Ｆが電源コネクタ１５の上面と当接したとき撓み部１２Ｇが充分に撓むと共に、当接が解除されたとき弾性により初期状態に戻る。その結果、補強部１２Ｄをカバー部材１２と容易に一体形成することができる。
【００３８】
次に、図６〜１１を参照して、本願発明に係る電子部品収納体の第２実施形態を詳細に説明する。なお、本第２実施形態において、前記第１実施形態で使用された部材等には同一符号を付し、異なる部材のみを詳細に説明する。
【００３９】
図６は本第２実施形態の電子部品収納体２０を構成する筐体２１とカバー部材２２とを示す分解斜視図、図７は図６の状態からカバー部材２２を筐体２１に取付ける状態を示す斜視図、図８は図７におけるVIII−VIIII線に沿った縦断面図、図９は図７の状態からカバー部材２２をスライドさせて筐体２１に取付けた状態を示す斜視図、図１０は図９におけるX−X線に沿った縦断面図である。
【００４０】
本第２実施形態の電子部品収納体２０は、内部に電子部品として前記電源コネクタ１５を収納するものであり、この電源コネクタ１５をカバー部材２２の補強部２２Ｄで補強する構造としたものである。
そして、この電子部品収納体２０では、カバー部材２２と一体形成された補強部２２Ｄの形状を、前記第１実施形態の電子部品収納体１０における補強部１２Ｄの形状と異なる形状としたものである。
【００４１】
筐体２１は、前記第１実施形態の筐体１１と同一材料で、かつ略同一形状に形成されており、開口部２１Ｄを有している。そして、筐体２１の内部には、予め上記電源コネクタ１５を装備した基板２４が、筐体２１の底面部３１Ｃの上面から所定寸法高い位置に固定されている。
【００４２】
また、カバー部材２２も前記第１実施形態のカバー部材１２と同一材質の部材で形成され、かつ第１実施形態のカバー部材１２と略同一形状に形成されている。すなわち、カバー部材２２は、上面部２２Ａと前面部２２Ｂとからなる断面Ｌ字形状に形成されており、筐体２１の前記開口部２１Ｄを塞ぐようになっている。
【００４３】
カバー部材２２の上面２２Ａの裏面には、図６等に示すように、前記電源コネクタ１５の長手方向に沿って平行に配置された２枚の上記補強部２２Ｄ，２２Ｄがカバー部材２２と一体形成されており、この補強部２２Ｄ，２２Ｄはプレート状に形成されている。
【００４４】
これらの補強部２２Ｄ，２２Ｄは、カバー部材２２の上面２２Ａの裏面から筐体２１の底面部２１Ｃ側に延びて形成され、カバー部材２２を筐体２１に取付けたとき（組立てたとき）、補強部２２Ｄ，２２Ｄの先端が筐体２１の底面部２１Ｃの上面から所定寸法離れるような長さに形成されている(図１０等参照)。
【００４５】
また、補強部２２Ｄ，２２Ｄの幅寸法は電源コネクタ１５の前記本体部１５Ａの長さ寸法と略同じ寸法に形成されている。そして、図１０に示すように、補強部２２Ｄ，２２Ｄ同士の間隔Ｌ１は、初期状態で、電源コネクタ１５の本体部１５Ａの幅寸法Ｌより僅かに狭い寸法に設定されている。
【００４６】
そのため、図７，８に示すように、カバー部材２２を筐体２１に被せたとき、弾性を有する２つの補強部２２Ｄ，２２Ｄの先端側がハ字状に拡がり、それらの補強部２２Ｄ，２２Ｄにより電源コネクタ１５が挟持された状態となる。
【００４７】
そして、その状態からカバー部材２２を筐体２１の奥側に向けてスライドさせ、カバー部材２２が筐体２１に取付けられたとき、図９，１０に示すように、ハ字状に拡がっていた２つの補強部２２Ｄ，２２Ｄの先端側が、その弾性力により初期の姿勢、つまり平行な状態に戻る。その結果、補強部２２Ｄ，２２Ｄの先端部が電源コネクタ１５の後端面と当接し、これにより、図略の電源プラグ等を電源コネクタ１５に接続する際に生じる圧力に対抗できるようになっている。
【００４８】
カバー部材２２の前面部２２Ｂには、上記電源コネクタ１５のケーブル接続部１５Ｂに対応する貫通穴２２Ｃが形成されており、本実施形態では、図１１に示すように、ケーブル接続部１５Ｂが貫通穴２２Ｃ内に挿入されるようになっている。
【００４９】
次に、図６〜１０に基づいて、上記カバー部材２２を筐体２１に取付ける手順を説明する。
【００５０】
まず、図６に示すように、カバー部材２２の前面部２２Ｂの貫通穴２２Ｃが、筐体２１に装備された電源コネクタ１５のケーブル接続部１５Ｂに接触しないように、カバー部材１２を筐体１１の上方から降ろす。
【００５１】
カバー部材２２の前面部２２Ｂの貫通穴２２Ｃの位置と、電源コネクタ１５のケーブル接続部１５Ｂの高さ位置とが一致する位置までカバー部材２２を降ろすと、図７，８に示すように、カバー部材２２の２つの補強部２２Ｄ，２２Ｄの先端部側が電源コネクタ１５の本体部１５Ａの幅方向の両側面部を挟み込む。
【００５２】
その状態から、図７に示すようにカバー部材２２を筐体２１の奥側に向かってスライドさせると、図９〜１１に示すように、カバー部材２２の２つの補強部２２Ｄ，２２Ｄと電源コネクタ１５の本体部１５Ａの幅方向の両側面部との係合が解除され、補強部２２Ｄ，２２Ｄが弾性力により初期の形状に戻る。
そして、補強部２２Ｄ，２２Ｄの幅方向の一端部が電源コネクタ１５の本体部１５Ａの長さ方向の後端面と当接し、電源コネクタ１５にケーブル等が差し込まれる際の圧力に対抗できるようになっている。
【００５３】
以上のような構成の第２実施形態の電子部品収納体２０によれば、前記（１）〜（３）と略同様の効果の他、次のような効果が得られる。
（５）補強部２２Ｄ，２２Ｄのそれぞれが板状に形成され、各補強部２２Ｄ，２２Ｄの幅方向の一端部が電源コネクタ１５の後端面の全面と当接するようになっているので、より強力な補強構造とすることができる。その結果、電源コネクタ１５にケーブル等が差し込まれる際の圧力に充分に対抗することができる。
【００５４】
（６）補強部２２Ｄ，２２Ｄのそれぞれが板状の簡単な形状に形成されているので、カバー部材２２との一体形成が容易となる。
【００５５】
次に、図１２〜１４を参照して、本願発明に係る電子部品収納体の第３実施形態を詳細に説明する。
【００５６】
図１２は本第３実施形態の電子部品収納体３０を構成する筐体３１とカバー部材３２とを示す分解斜視図であり、図１３は図１２の状態からカバー部材３２を筐体３１に取付けた状態を示す斜視図であり、図１４は図１３におけるXIV−XIV線に沿った縦断面図である。
【００５７】
本第３実施形態の電子部品収納体３０では、内部に電子部品として前記電源コネクタ１５に換えて、ＵＳＢコネクタを含まない他のコネクタ類（横長コネクタと呼ぶ）３５を筐体３１内に収納するものであり、この横長コネクタ３５をカバー部材３２の補強部３２Ｄで補強する構造としたものである。
なお、上記横長コネクタ３５は、データ通信用として使用されるものである。
【００５８】
第３実施形態の電子部品収納体３０は、図１３に示すように、筐体３１とカバー部材３２とにより略直方体の外形形状に形成されている。
筐体３１は、前記第１実施形態の筐体１１と同一材料で、かつ略同じ形状に形成されており、開口部３１Ｄを有している。そして、筐体３１の内部には、予め上記横長コネクタ３５を装備した基板３４が、筐体３１の底面部３１Ｃの上面から所定寸法高い位置に固定されている。
この際、横長コネクタ３５のケーブル接続部３５Ｂの先端は、基板３４の先端と略同一面に揃えられている。
【００５９】
また、カバー部材３２も前記第１実施形態のカバー部材１２と同一材料で、かつ略同一形状に形成されている。すなわち、カバー部材３２は、上面部３２Ａと前面部３２Ｂとからなる断面Ｌ字形状に形成されており、筐体３１の前記開口部３１Ｄを塞ぐようになっている。
【００６０】
カバー部材３２の上面部３２Ａの裏面には、図１４に詳細を示すように、横長コネクタ３５の後端面を補強する補強部３２Ｄがカバー部材３２と一体に形成されている。この補強部３２Ｄの形状は、前記第１実施形態のカバー部材１２における補強部１２Ｄの形状と略同じ形状に形成されている。
【００６１】
すなわち、補強部３２Ｄは、図１４に示すように、上面部３２Ａの裏面と直交しかつ裏面から筐体３１側に延びた一端部３２Ｅと、この一端部３２Ｅの延長線上にその一端部３２Ｅから間隔をおいた位置に配置される他端部３２Ｆと、これらの一端部３２Ｅおよび他端部３２Ｆ同士を連結する撓み部３２Ｇとで形成されている。
撓み部３２Ｇは、一端部３２Ｅおよび他端部３２Ｆ同士を連結すると共に断面略Ｕ字形状に形成されており、上面部３２Ａと略平行に上記前面部３２Ｂ側に突出している。
【００６２】
また、カバー部材３２の前面部３２Ｂには、横長コネクタ３５のケーブル接続部３５Ｂの先端に対応する長方形形状の貫通角長穴３２Ｃが形成されている。
【００６３】
以上のような構成の第３実施形態の電子部品収納体３０では、図１２に示すように、  カバー部材３２の前面部３２Ｂの貫通穴３２Ｃが、筐体３１に装備された横長コネクタ３５のケーブル接続部３５Ｂに接触しないように、カバー部材３２を筐体３１の上方から降ろす。
【００６４】
上記両者３２Ｃ，３５Ｂの水平方向の位置が一致したら、カバー部材３２を筐体３１の奥側に向けてスライドさせる。この際の補強部３２Ｄの作用は、前記第1実施形態の補強部１２Ｄの動き、変形と同じように、補強部３２Ｄの撓み部３２Ｇが変形して撓み、スライド終了時、つまり、カバー部材３２と筐体３１とが完全に所定の位置に納まったとき、補強部３２Ｄにより横長コネクタ３５の後端面が係止される。
【００６５】
以上のような構成の第３実施形態の電子部品収納体３０によれば、前記（１）〜（３）と略同様の効果を得ることができる他、次のような効果が得られる。
（７）電子部品収納体３０内に横長コネクタ３５が収納されている場合でも、その横長コネクタ３５の後端面を、カバー部材３２と一体形成された補強部３２Ｄで確実に補強することができる。
【００６６】
次に、図１５〜１７を参照して、本願発明に係る電子部品収納体の第４実施形態を詳細に説明する。
【００６７】
図１５は本第４実施形態の電子部品収納体４０を構成する筐体４１とカバー部材４２とを示す分解斜視図であり、図１６は図１５の状態からカバー部材４２を筐体４１に取付けた状態を示す斜視図であり、図１７は図１６におけるXVII−XVII線に沿った縦断面図である。
【００６８】
本第４実施形態の電子部品収納体４０では、内部に電子部品としてスイッチ４５を収納するものであり、このスイッチ４５をカバー部材４２の補強部４２Ｄで補強する構造としたものである。
なお、上記スイッチ４５は、装置の初期化をするために使用されるものである。
【００６９】
第４実施形態の電子部品収納体４０は、図１６に示すように、筐体４１とカバー部材１２とにより、略直方体の外形形状に形成されており、開口部４１Ｄを有している。
筐体４１は、前記第１実施形態の筐体１１と同一材料で、かつ略同じ形状に形成されている。そして、筐体４１の内部には、予めスイッチ４５を装備した基板４４が、筐体４１の底面部４１Ｃの上面から所定寸法高い位置に固定されている。
この際、スイッチ４５の先端部４５Ａは、基板４４の先端から所定寸法突出している。
【００７０】
また、カバー部材４２も前記第１実施形態のカバー部材１２と同一材料で、かつ略同一形状に形成されている。すなわち、カバー部材４２は、上面部４２Ａと前面部４２Ｂとからなる断面Ｌ字形状に形成されており、筐体４１の前記開口部４１Ｄを塞ぐようになっている。
【００７１】
カバー部材４２の上面部４２Ａの裏面には、図１７に詳細を示すように、スイッチ４５の後端面を補強する補強部４２Ｄがカバー部材４２と一体に形成されている。また、この補強部４２Ｄの形状は、前記第１実施形態のカバー部材１２における補強部１２Ｄの形状と略同じ形状に形成されている。
【００７２】
すなわち、補強部４２Ｄは、図１７に示すように、上面部４２Ａの裏面と直交しかつ裏面から筐体４１側に延びた一端部４２Ｅと、この一端部４２Ｅの延長線上にその一端部４２Ｅから間隔をおいた位置に配置される他端部４２Ｆと、これらの一端部４２Ｅおよび他端部４２Ｆ同士を連結する撓み部４２Ｇとで形成されている。
撓み部４２Ｇは、一端部４２Ｅおよび他端部４２Ｆ同士を連結すると共に断面略Ｕ字形状に形成されており、上面部４２Ａと略平行に上記前面部４２Ｂ側に突出している。
【００７３】
また、カバー部材４２の前面部４２Ｂには、スイッチ４５の先端部４５Ａに対応する貫通穴４２Ｃが形成されており、図１７に示すように、本実施形態では、先端部４５Ａが貫通穴４２Ｃに挿入されるようになっている。
【００７４】
以上のような構成の第３実施形態の電子部品収納体４０では、図１５に示すように、  カバー部材４２の前面部４２Ｂの貫通穴４２Ｃが、筐体４１に装備されたスイッチ４５の先端部４５Ａに接触しないように、カバー部材４２を筐体４１の上方から降ろす。
【００７５】
上記両者４２Ｃ，４５Ａの水平方向の位置が一致したら、カバー部材４２を筐体４１の奥側に向けてスライドする。この際の補強部４２Ｄの作用は、前記第1実施形態の補強部１２Ｄの動き、変形と同じように、補強部４２Ｄの撓み部４２Ｇが変形して撓み、スライド終了時、つまり、カバー部材４２と筐体４１とが完全に所定の位置に納まったとき、補強部４２Ｄによりスイッチ４５の後端面が係止される。
【００７６】
以上のような構成の第４実施形態の電子部品収納体４０によれば、前記（１）〜（３）と略同様の効果の他、次のような効果が得られる。
（８）電子部品収納体４０の筐体４１内にスイッチ４４がされている場合でも、そのスイッチ４４の後端面を、カバー部材４２と一体形成された補強部４２Ｄで確実に補強することができる。
【００７７】
次に、図１８〜２０を参照して、本願発明に係る電子部品収納体の第５実施形態を詳細に説明する。
【００７８】
図１８は本第５実施形態の電子部品収納体５０を構成する筐体５１とカバー部材５２とを示す分解斜視図であり、図１９は図１８の状態からカバー部材５２を筐体５１に取付けた状態を示す斜視図であり、図２０は図１９におけるXX−XX線に沿った縦断面図である。
【００７９】
本第５実施形態の電子部品収納体５０では、内部に電子部品として幅の広いコネクタ５５を収納するものであり、この幅の広いコネクタ５５をカバー部材５２の補強部５２Ｄで補強する構造としたものである。
なお、上記幅の広いコネクタ５５は、データ通信用として使用されるものである。
このコネクタ５５は、４個の電源コネクタ５５Ｃを外枠５５Ａ内に並列配置して構成されており、この外枠５５Ａの幅方向両端の２個所に設けた補強部５２Ｄ，５２Ｄで補強する構成となっている。
【００８０】
第５実施形態の電子部品収納体５０では、４個の電源コネクタ５５Ｃを外枠５５Ａ内に並列配置して構成されたコネクタ５５を使用していることから、筐体５１の幅寸法が前記各実施形態１〜４の筐体１１，２１，３１，４１より大きな寸法に形成されている。また、それに対応して、カバー部材５２も前記カバー部材１２等に比べて幅広に形成されている。
【００８１】
筐体５１は、前記第１実施形態の筐体１１と同一材料で、かつ略同じ形状に形成されており、開口部５１Ｄを有している。ただし、上述のように、全体の大きさは第１実施形態の筐体１１等に比べて大きく形成されている。
そして、筐体５１の内部には、予め上記４個の電源コネクタ５５Ｃからなるコネクタ５５を装備した基板５４が、筐体５１の底面部５１Ｃの上面から所定寸法高い位置に固定されている。この際、コネクタ５５のケーブル接続部５５Ｂの先端は、基板５４の先端と略同一面に揃えられている。
【００８２】
また、カバー部材５２も前記第１実施形態のカバー部材１２と同一材料で、かつ略同一形状に形成されている。すなわち、カバー部材５２は、上面部５２Ａと前面部５２Ｂとからなる断面Ｌ字形状に形成されており、筐体５１の前記開口部５１Ｄを塞ぐようになっている。
【００８３】
カバー部材５２の上面部５２Ａの裏面には、カバー部材５２と一体に形成されると共に、幅広のコネクタ５５の後端面と当接し、かつ補強する補強部５２Ｄが、そのコネクタ５５の幅方向両端側に対応するように２箇所に設けられている。
これらの補強部５２Ｄ，５２Ｄの形状は、前記第１実施形態のカバー部材１２における補強部１２Ｄの形状と略同じ形状に形成されている。
【００８４】
すなわち、各補強部５２Ｄは、図２０に示すように、それぞれ、上面部５２Ａの裏面と直交しかつ裏面から筐体５１側に延びた一端部５２Ｅと、この一端部５２Ｅの延長線上にその一端部５２Ｅから間隔をおいた位置に配置される他端部５２Ｆと、これらの一端部５２Ｅおよび他端部５２Ｆ同士を連結する撓み部５２Ｇとで形成されている。
撓み部５２Ｇは、一端部５２Ｅおよび他端部５２Ｆ同士を連結すると共に断面略Ｕ字形状に形成されており、上面部５２Ａと略平行に上記前面部５２Ｂ側に突出している。
【００８５】
また、上記カバー部材５２の前面部５２Ｂには、コネクタ５５のケーブル接続部５５Ｂの先端に対応する貫通角長穴５２Ｃが形成されている。
【００８６】
以上のような構成の第５実施形態の電子部品収納体５０では、図１８に示すように、カバー部材５２の前面部５２Ｂの貫通穴５２Ｃが、筐体５１に装備されたコネクタ５５のケーブル接続部５５Ｂの先端に接触しないように、カバー部材５２を筐体５１の上方から降ろす。
【００８７】
上記両者５２Ｃ，５５Ｂの高さ方向の位置が一致したら、カバー部材５２を筐体５１の奥側に向けてスライドする。この際の補強部５２Ｄの作用は、前記第1実施形態の補強部１２Ｄの動き、変形と同じように、補強部５２Ｄの撓み部５２Ｇが変形して撓み、スライド終了時、つまり、カバー部材５２と筐体５１とが完全に所定の位置に納まったとき、補強部５２Ｄによりコネクタ５５の後端面が係止される。
【００８８】
以上のような構成の第５実施形態の電子部品収納体５０によれば、前記（１）〜（３）と略同様の効果の他、次のような効果が得られる。
（９）コネクタ５５が筐体５１の幅方向のほぼ全域にわたって配置されていても、そのコネクタ５５の幅方向両端の２箇所を補強できるように、カバー部材５２の２箇所に補強部５２Ｄ，５２Ｄが設けられているので、幅の広いコネクタ５５であっても、安定して、かつ確実に補強することができる。
【００８９】
次に、図２１〜２５を参照して、本願発明に係る電子部品収納体の第６実施形態を詳細に説明する。
【００９０】
図２１は、本第６実施形態の電子部品収納体６０を構成する筐体６１とカバー部材６２とを示す分解斜視図であり、図２２は図２１の状態からカバー部材６２を筐体６１に取付けた状態を示す斜視図であり、図２３はカバー部材６２を筐体６１に取付ける際の補強部６２Ｄの撓み変形状態を示す平面図であり、図２４はカバー部材６２のスライドが終了した状態を示す平面図であり、図２５は補強部６２Ｄの詳細を示す斜視図である。
【００９１】
本第６実施形態の電子部品収納体６０では、内部に電子部品として前記第５実施形態の電子部品収納体５０で使用されているコネクタ５５と略同様の大きさのコネクタ６５を、高さの低い筐体６１に装備すると共に、上記コネクタ６５を、その両側面部側の後端面で補強する構造としたものである。
なお、上記幅の広いコネクタ６５は、データ通信用として使用されるものである。
【００９２】
筐体６１は、前記第１実施形態の筐体１１と同一材料で、かつ略同じ形状に形成されており、開口部６１Ｄを有している。ただし、上述のように、全体の幅寸法は第１実施形態の筐体１１等に比べて大きく形成されているのに対し、高さ寸法は上述のように、低く形成されている。
【００９３】
筐体６１の内部には、予め上記４個の電源コネクタ６５Ｃからなるコネクタ６５を装備した基板６４が、筐体６１の底面部６１Ｃの上面から所定寸法高い位置に固定されている。
この際、コネクタ６５のケーブル接続部６５Ｂの先端は、基板６４の先端と略同一面に揃えられている。
【００９４】
また、カバー部材６２も前記第１実施形態のカバー部材１２と同一材料で、かつ略同一形状に形成されている。すなわち、カバー部材６２は、上面部６２Ａと前面部６２Ｂとからなる断面Ｌ字形状に形成されており、筐体６１の前記開口部６１Ｄを塞ぐようになっている。
【００９５】
カバー部材６２の上面部６２Ａの裏面には、図２５に詳細を示すように、コネクタ６５の幅方向両側面部と直交した後端面を補強する補強部６２Ｄが、カバー部材６２と一体に形成されている。
この補強部６２Ｄの形状は、前記第１実施形態のカバー部材１２における補強部１２Ｄの形状に支持部６５Ｈを加えた形状に形成されている。
【００９６】
すなわち、補強部６２Ｄは、図２５に示すように、上面部６２Ａの裏面と直交しかつ裏面から筐体５１側に延びた支持部６５Ｈと、この支持部６５Ｈの下端に連続すると共に、上記筐体６１の一方の側面部側に延びた一端部６２Ｅと、この一端部６２Ｅの延長線上にその一端部６２Ｅから間隔をおいた位置に配置される他端部６２Ｆと、これらの一端部６２Ｅおよび他端部６２Ｆ同士を連結する撓み部６２Ｇとで形成されている。
【００９７】
撓み部６２Ｇは断面略Ｕ字形状に形成されており、コネクタ６５および筐体６１の一方の側面部と略平行に、カバー部材６２の前面部６２Ｂ側に突出している。
上記支持部６５Ｈは、カバー部材６２の裏面の一部として一体形成されたフランジ部６５ａと、このフランジ部６５ａと直交すると共に上記一端部６２Ｅに繋がる繋ぎ部６５ｂとで形成されている。
なお、図２３，２４は、カバー部材６２の上面６２Ａを透過した状態を表している。
【００９８】
また、上記カバー部材６２の前面部６２Ｂには、コネクタ６５のケーブル接続部６５Ｂの先端に対応する貫通角長穴６２Ｃが形成されている。
【００９９】
以上のような構成の第６実施形態の電子部品収納体６０では、まず、図２１に示すように、カバー部材６２の前面部６２Ｂの貫通穴６２Ｃが、筐体６１に装備されたコネクタ６５のケーブル接続部６５Ｂの先端に接触しないように、カバー部材６２を筐体６１の上方から降ろす。
【０１００】
上記両者６２Ｃ，６５Ｂの高さ方向の位置が一致したら、カバー部材６２を筐体６１の奥側に向けてスライドさせる。この際、補強部６２Ｄの撓み部６２Ｇは図２３に示すように変形する。
すなわち、前記第1実施形態の補強部１２Ｄとは向きが異なるが、補強部６２Ｄの他端部６２Ｆが、コネクタ６５の側面部と当接することで撓み部６２Ｇが変形し、その姿勢でさらにスライドさせると、補強部６２Ｄの他端部６２Ｆとコネクタ６５の側面部との当接状態が解除され、撓み部６２Ｇが初期の形状に戻り、その結果、他端部６２Ｆとコネクタ６５の幅方向両端部の後端面とが係止される。
【０１０１】
以上のような構成の第６実施形態の電子部品収納体６０によれば、前記（１）〜（３）と略同様の効果の他、次のような効果が得られる。
（１０）幅の広いコネクタ６５を、高さの低い筐体６１に収納しなければならない場合であっても、カバー部材６２に一体形成された補強部６２Ｄの一端部６２Ｅ、他端部６２Ｆおよび撓み部６２Ｇが、コネクタ６５の幅方向両側面に沿ってスライドすると共に、スライド終了後にコネクタ６５の幅方向両側面の後端面を係止するようになっているので、高さの低い筐体６１に幅の広いコネクタ６５を補強しつつ収納することができる。
【０１０２】
次に、図２６〜２８を参照して、本願発明に係る第７実施形態の電子部品収納体を詳細に説明する。
【０１０３】
図２６は、第７実施形態の電子部品収納体７０を構成する筐体７１とカバー部材７２とを示す分解斜視図であり、図２７は図２６の状態からカバー部材７２を筐体７１に取付けた状態を示す斜視図であり、図２８は図２７におけるY−Y線に沿った縦断面図である。
【０１０４】
この第７実施形態の電子部品収納体７０では、レンズ部品７５をカバー部材７２の補強部７２Ｄ，７２Ｄで補強する構造としたものである。
なお、上記レンズ部品７５は、発光ランプの導光用として使用されるものである。
【０１０５】
筐体７１は、前記第１実施形態の筐体１１と同一材料で、かつ略同じ形状に形成されており、開口部７１Ｄを有している。
筐体７１の内部には、予めレンズ部品７５を装備した基板７４が、筐体７１の底面部７１Ｃの上面から所定寸法高い位置に固定されている。
この際、レンズ部品７５の先端部７５Ａは、基板７４の先端から突出している。
【０１０６】
また、カバー部材７２も前記第１実施形態のカバー部材１２と同一材料で、かつ略同一形状に形成されている。すなわち、カバー部材７２は、上面部７２Ａと前面部７２Ｂとからなる断面Ｌ字形状に形成されており、筐体７１の前記開口部７１Ｄを塞ぐようになっている。
【０１０７】
カバー部材７２の上面部７２Ａの裏面には、レンズ部品７５の後端面を補強する補強部７２Ｄが、カバー部材７２と一体に形成されている。
すなわち、補強部７２Ｄは、図２８に示すように、上面部７２Ａの裏面と直交しかつ裏面から筐体７１側に延びた一端部７２Ｅと、この一端部７２Ｅの延長線上にその一端部７２Ｅから間隔をおいた位置に配置される他端部７２Ｆと、これらの一端部７２Ｅおよび他端部７２Ｆ同士を連結する撓み部７２Ｇとで形成されている。
撓み部７２Ｇは、一端部７２Ｅおよび他端部７２Ｆ同士を連結すると共に断面略Ｕ字形状に形成されており、上面部７２Ａと略平行に上記前面部７２Ｂ側に突出している。
【０１０８】
上記カバー部材７２の前面部７２Ｂには、レンズ部品７５の先端部７５Ａに対応する貫通穴７２Ｃが形成されており、図２８に示すように、本応用例では、レンズ部品７５の先端部７５Ａが貫通穴７２Ｃに挿入されるようになっている。
【０１０９】
以上のような構成の応用例の電子部品収納体７０では、まず、図２６に示すように、カバー部材７２の前面部７２Ｂの貫通穴７２Ｃが、筐体７１に装備されたレンズ部品７５の先端部７５Ａの先端に接触しないように、カバー部材７２を筐体７１の上方から降ろす。
【０１１０】
上記両者７２Ｃ，７５Ａの高さ方向の位置が一致したら、カバー部材７２を筐体７１の奥側に向けてスライドさせる。この際の補強部７２Ｄの作用は、前記第1実施形態の補強部１２Ｄの動き、変形と同じように、補強部７２Ｄの撓み部７２Ｇが変形して撓み、スライド終了時、つまり、カバー部材７２と筐体７１とが完全に所定の位置に納まったとき、補強部７２Ｄによりレンズ部品７５の後端面が係止される。
【０１１１】
以上のような構成の第７実施形態の電子部品収納体７０によれば、前記（１）〜（３）と略同様の効果の他、次のような効果が得られる。
（１１）電子部品収納体７０の筐体７１内にレンズ部品７５が収納されている場合でも、そのレンズ部品７５の後端面を、カバー部材７２と一体形成された補強部７２Ｄで確実に補強することができる。
【０１１２】
以上、上記各実施形態を参照して本願発明を説明したが、本願発明は上記各実施形態に限定されるものではない。本願発明の構成や詳細については、当業者が理解し得るさまざまな変更を加えることが出来る。また、本願発明には、上記各実施形態の構成の一部又は全部を相互に適宜組み合わせたものも含まれる。
【０１１３】
例えば、前記第１、第３〜７実施形態では、カバー部材１２等に設けられた補強部１２Ｄ等の断面形状を、撓み部１２Ｇがカバー部材１２の前面部１２Ｂ側に突出した形状としたがこれに限らない。図２９に示すような構成としてもよい。
すなわち、筐体８１とカバー部材８２からなる電子部品収納体８０の内部に、基板８４および電源コネクタ８５が装備され、カバー部材８２の上面８２Ａに補強部８２Ｄが一体形成されている。補強部８２Ｄは、一端部８２Ｅと、他端部８２Ｆと、撓み部１２Ｇとで形成されており、撓み部８２Ｇは、筐体８１の奥側に突出している。
このようにしても、前記（１）〜（３）と略同様の効果を得ることができる。
【０１１４】
（付記１）
内部に基板を介して電子部品が装備されると共に開口部を設けた筐体と、
この筐体に取付けられ前記開口部を塞ぐ弾性部材からなるカバー部材と、を備え、
前記電子部品の先端部が前記開口部の先端部側に配置され、
前記カバー部材に、前記電子部品の先端部に対応した状態の貫通穴を形成すると共に前記電子部品の後端面を係止する補強部を前記カバー部材の裏面から前記電子部品側に突出させて一体形成したことを特徴とする電子部品収納体。
【０１１５】
（付記２）
付記１に記載の電子部品収納体において、
前記筐体を一つの側面部側および上面部側が開口部となった箱状に形成し、
前記カバー部材を前記一つの側面部側および上面部側を塞ぐ断面Ｌ字状に形成したことを特徴とする電子部品収納体。
【０１１６】
（付記３）
付記２に記載の電子部品収納体において、
前記カバー部材をプラスチックで構成すると共に、前記Ｌ字の一辺に前記貫通穴を形成しかつ他辺に前記補強部を形成し、
前記補強部を、一対の直線部とこれらの直線部同士を繋ぐ曲線状の撓み部からなる断面形状に形成し、
前記一方の直線部を前記カバー部材の裏面に当該カバー部材と直交して設けると共に他方の直線部を前記電子部品側に向けて一方の直線部の延長上に設け、前記撓み部を前記一方の直線部と他方の直線部と直交する方向のいずれか一方に向けて設け、
前記カバー部材を前記筐体に取付けた際に、前記補強部の他方の直線部が前記電子部品の後端面と係合するように前記補強部の位置を設定したことを特徴とする電子部品収納体。
【０１１７】
（付記４）
付記３に記載の電子部品収納体において、
前記補強部を前記電子部品の幅方向の両端部の２か所に設けたことを特徴とする電子部品収納体。
【０１１８】
（付記５）
付記１に記載の電子部品収納体において、
前記筐体を一つの側面部および上面部が開口部となった箱状に形成し、
前記カバー部材をプラスチックで構成すると共に前記一つの側面部および上面部を塞ぐ断面Ｌ字状に形成し、
前記カバー部材の前記Ｌ字の一辺に前記貫通穴を形成すると共に他辺に前記補強部を形成し、
前記補強部を、前記電子部品の幅寸法より狭い間隔で配設された２枚の板状部で構成すると共に、これら２枚の板状部が前記カバー部材を前記筐体に取付けた際に前記電子部品の後端面に係止するように設けたことを特徴とする電子部品収納体。
【０１１９】
（付記６）
付記１に記載の電子部品収納体において、
前記筐体を一つの側面部側および上面部側が開口部となった箱状に形成し、
前記カバー部材を、前記一つの側面部側および上面部側を塞ぐ断面Ｌ字状に形成すると共にプラスチックで構成しかつ前記Ｌ字の一辺に前記貫通穴を形成し他辺に前記補強部を形成し、
前記補強部を、一対の直線部とこれらの直線部同士を繋ぐ曲線状の撓み部とからなる断面形状とすると共に、直線部および撓み部のいずれか一方に形成され前記カバー部材に支持される支持部を設けた形状とし、
前記一対の直線部を前記電子部品の後端面と平行になるように設けると共に、前記撓み部を前記一対の直線部と直交する方向のいずれか一方に向けて設け、
前記カバー部材を前記筐体に取付ける際に、前記補強部を前記電子部品の幅方向の両側面部と前記筐体の側面部との間にそれぞれ配置し、前記補強部の他方の直線部が前記電子部品の後端面と係合するように前記補強部を設けたことを特徴とする電子部品収納体。
【産業上の利用可能性】
【０１２０】
本願発明の電子部品収納体は、内部に収納されたコネクタ等の電子部品にケーブル等の相手方部品を接続する際、相手方部品の差込みの圧力に対して電子部品が後退しないように電子部品を補強する際に利用できる。
【符号の説明】
【０１２１】
１０  電子部品収納体（第１実施形態）
１１  筐体
１１Ｄ  開口部
１２  カバー部材
１２Ｃ  貫通穴
１２Ｄ  補強部
１５  電源コネクタ
１５Ａ  ケーブル接続部
２０  電子部品収納体（第２実施形態）
３０  電子部品収納体（第３実施形態）
４０  電子部品収納体（第４実施形態）
５０  電子部品収納体（第５実施形態）
６０  電子部品収納体（第６実施形態）
７０  電子部品収納体（第７実施形態）
【図１】
2014139976.tif 000003
【図２】
2014139976.tif 000004
【図３】
2014139976.tif 000005
【図４】
2014139976.tif 000006
【図５】
2014139976.tif 000007
【図６】
2014139976.tif 000008
【図７】
2014139976.tif 000009
【図８】
2014139976.tif 000010
【図９】
2014139976.tif 000011
【図１０】
2014139976.tif 000012
【図１１】
2014139976.tif 000013
【図１２】
2014139976.tif 000014
【図１３】
2014139976.tif 000015
【図１４】
2014139976.tif 000016
【図１５】
2014139976.tif 000017
【図１６】
2014139976.tif 000018
【図１７】
2014139976.tif 000019
【図１８】
2014139976.tif 000020
【図１９】
2014139976.tif 000021
【図２０】
2014139976.tif 000022
【図２１】
2014139976.tif 000023
【図２２】
2014139976.tif 000024
【図２３】
2014139976.tif 000025
【図２４】
2014139976.tif 000026
【図２５】
2014139976.tif 000027
【図２６】
2014139976.tif 000028
【図２７】
2014139976.tif 000029
【図２８】
2014139976.tif 000030
【図２９】
2014139976.tif 000031
【図３０】
2014139976.tif 000032
【図３１】
2014139976.tif 000033
【図３２】
2014139976.tif 000034
【図３３】
2014139976.tif 000035
【図３４】
2014139976.tif 000036
【図３５】
2014139976.tif 000037